(57)【要約】【課題】浴室装置の入口を設置する壁面全体を外方に突設し、突設部にカウンターを設置することにより浴室空間の拡大を図り、快適な浴室空間を提供することを目的とする。【解決手段】浴槽９に対向する壁面に出入り口部１０を設け、洗い場６に対応する側壁面７に主カウンター８を設け、前記出入り口部１０は壁面全体に対応する外枠１１と、外枠１１の一部を閉塞する固定パネルと１２、副カウンター１３と、ドア１５を備え、前記外枠１１は洗い場外縁１６より外方に突出し、前記突出寸法は浴室と隣接する脱衣室との仕切り壁の厚さと略等しく、前記副カウンター１３は固定パネル１２に内接し、前記主カウンター８と同一高さに設置することにより、出入り口部を配置する壁面は、仕切り壁の厚さ分だけ外方に突出し、浴室空間を拡張することができ、その一部に主カウンターと一体感のある副カウンターを設置することができる。【選択図】図１
2005290919.tif 000002
【特許請求の範囲】
【請求項１】
浴槽に対向する壁面に出入り口部を設け、少なくとも洗い場に対応する側壁面に主カウンターを設け、前記出入り口部は壁面全体に対応する外枠と、外枠の一部を閉塞する固定パネルと、副カウンターと、ドアを備え、前記外枠は洗い場外縁より外方に突出し、前記突出寸法は浴室と隣接する脱衣室との仕切り壁の厚さと略等しく、前記副カウンターは固定パネルに内接し、前記主カウンターと略同一高さに設置した浴室装置。
【請求項２】
副カウンターは主カウンターに当接して連続的に設置した請求項１に記載の浴室装置。
【請求項３】
主カウンターと副カウンターを一体で形成した請求項１に記載の浴室装置。
【請求項４】
固定パネルは少なくとも一部が透光性を備えた請求項１〜３のいずれか１項に記載の浴室装置。
【発明の詳細な説明】
【技術分野】
【０００１】
本発明は浴室ユニットの出入り口部の構造に関するものである。
【背景技術】
【０００２】
従来、この種の浴室装置は、浴槽に対向する壁面は収納機能を備えた袖壁とドア額縁に設置したドアの２つの主要部材で構成している（例えば、特許文献１参照）。
【０００３】
図７は、特開文献１に記載された従来の浴室装置を示すものである。図３に示すように、浴室１の出入口部の壁面は収納部２を備えた袖壁３と、ドア枠４に開閉自在に取付けられたドア５から構成されている。
【特許文献１】特開２００３−２１３８１９号公報
【発明の開示】
【発明が解決しようとする課題】
【０００４】
しかしながら、前記従来の構成では、袖壁には収納機能が設置されているため、浴室空間の拡がり感を得ることはできず、浴室空間の快適性の向上が図れないという課題を有していた。
【０００５】
本発明は、前記従来の課題を解決するもので、浴室装置の入口を設置する壁面全体を外方に突設することにより浴室空間の拡大を図り、快適な浴室空間を提供するとともに施工性の向上図ることを目的とする。
【課題を解決するための手段】
【０００６】
前記従来の課題を解決するために、本発明の浴室装置は、浴槽に対向する壁面に出入り口部を設け、少なくとも洗い場に対応する側壁面に主カウンターを設け、前記出入り口部は壁面全体に対応する外枠と、外枠の一部を閉塞する固定パネルと、副カウンターと、ドアを備え、前記外枠は洗い場外縁より外方に突出し、前記突出寸法は浴室と隣接する脱衣室との仕切り壁の厚さと略等しく、前記副カウンターは固定パネルに内接し、前記主カウンターと略同一高さに設置したものである。
【０００７】
これによって、出入り口部を配置する壁面は、仕切り壁の厚さ分だけ外方に突出し、浴室空間を拡張することができ、その一部に主カウンターと一体感のある副カウンターを設置することができる。
【発明の効果】
【０００８】
本発明の浴室装置は、快適で使い勝手が良く、しかも施工性の良い浴室空間を提供することができる。
【発明を実施するための最良の形態】
【０００９】
第１の発明は浴槽に対向する壁面に出入り口部を設け、少なくとも洗い場に対応する側壁面に主カウンターを設け、前記出入り口部は壁面全体に対応する外枠と、外枠の一部を閉塞する固定パネルと、副カウンターと、ドアを備え、前記外枠は洗い場外縁より外方に突出し、前記突出寸法は浴室と隣接する脱衣室との仕切り壁の厚さと略等しく、前記副カウンターは固定パネルに内接し、前記主カウンターと略同一高さに設置することにより、出入り口部を配置する壁面は、仕切り壁の厚さ分だけ外方に突出し、浴室空間を拡張することができ、その一部に主カウンターと一体感のある副カウンターを設置することができることとなり、浴室空間全体は広がり感が向上し、しかもカウンターの面積が拡大することにより、快適で使い勝手の良い浴室空間を提供することができる。
【００１０】
第２の発明は、特に、第１の発明の副カウンターを主カウンターに当接して連続的に設置したことにより、カウンターは同一高さで連続的に配置されるため、カウンターの使い勝手が向上するとともに、外観上の見映えも向上することができる。
【００１１】
第３の発明は、特に、第１の発明の主カウンターと副カウンターを一体で形成したことにより、カウンターは継ぎ目がなく一体で配置されるため、カウンターの使い勝手と、外観上の見映えに加え、清掃性も向上することができる。
【００１２】
第４の発明は、特に第１〜３のいずれか１つの発明における固定パネルの少なくとも一部が透光性を備えることにより、浴室と脱衣室の照明を固定パネルを介して相互に見ることができることとなり浴室、脱衣室とも開放感を感じることができ、より快適な空間とすることができる。
【００１３】
以下、本発明の実施の実態について、図面を参照しながら説明する。なお、この実施の形態によって本発明が限定されるものではない。
【００１４】
（実施の形態１）
図１は、本発明の第１の実施の形態における浴室装置の平面図を示すものであり、図２は浴室装置の出入り口部の内側からの立面図を示す物である。
【００１５】
図において、洗い場６に対応する側壁面７に人造大理石等の樹脂成形材料からなる主カウンター８を設置し、浴槽９に対向する壁面には出入り口部１０を配置し、前記出入り口部１０は壁面全体に対応する外枠１１を設置し、外枠１１は略中央部に配設した中央の縦枠（以降方立と称する）１１ａにより２つのエリアに分割し、一方のエリアは透光性を備えた材質（例えばガラス、スチロール、アクリル等）で形成した固定パネル１２で閉塞し、固定パネル１２の内側には主カウンター８と同一材料で形成した副カウンター１３を上面を主カウンター８同一高さで当接して配置してある。
【００１６】
他方のエリアは出入り口１４とし、出入り口１４にはスライド自在の引き戸タイプのドア１５を外枠１１の外方側に配置、固定パネル１２の外方にドア１５が収納される構成としている。
【００１７】
前記外枠１１は洗い場外縁１６より外方に突出し、前記突出寸法は浴室と隣接する脱衣室との仕切り壁の厚さと略等しい構成としている。
【００１８】
以上のように出入り口部１０は浴室と隣接する脱衣室との仕切り壁の厚さと略等しい寸法で洗い場外縁１６より外方に突出し、浴室空間を拡張することができるとともにその一部に副カウンター１３を主カウンターと同一高さで連続的に設置することにより、カウンターの面積が拡張できるため、使い勝手が向上するとともに、浴室空間の外方に拡張した透光性を備えた固定パネル１２からは隣接する脱衣室の明かりを採光することもでき、浴室空間の拡がり感と開放感を感じることができ、またドア１４を外枠の外方側に配置する引き戸とすることにより、出入り口部１０の略半分を出入り口として使用することができ、幅の広い出入りのしやすい出入り口を確保することができることとなり、快適で使い勝手の良い浴室とすることができる。
【００１９】
なお、本実施の形態においては主カウンターと副カウンターは別部材として構成したが、主カウンターと副カウンターを一体で形成することもでき、一体で形成することにより接合部をなくすことができるため、見映えや清掃性をより向上することができる。
【００２０】
また、本実施の形態においては固定パネル１２は透光性の材質で形成したが、これに限る物ではなく隣接する空間の条件によっては遮光性の材質でも良く、また完全な透明材料で形成することにより、より開放感を得ることも可能である。
【産業上の利用可能性】
【００２１】
以上のように、本発明にかかる浴室装置は、浴室空間の拡大により快適で使い勝手の良い浴室空間を提供することが可能となるので、洗面やシャワーの空間ユニットなどの用途にも適用できる。
【図面の簡単な説明】
【００２２】
【図１】本発明の浴室装置全体の平面図
【図２】本発明の浴室装置の出入り口部を示す立面図
【図３】従来の浴室装置を示す立面図
【符号の説明】
【００２３】
６  洗い場
７  側壁面
８  主カウンター
９  浴槽
１０  出入り口部
１１  外枠
１２  固定パネル
１３  副カウンター
１５  ドア
１６  洗い場外縁
【図１】
2005290919.tif 000003
【図２】
2005290919.tif 000004
【図３】
2005290919.tif 000005